(57)【要約】【課題】リードワイヤの引っ張りに対してグロメットで部品保持用ホルダの動きを的確に抑制し、モータ性能変化や異音発生を適切に防止できるモータを得る。【解決手段】ハウジング３内に設けられブラシ５等のモータ部品を保持するための部品保持用ホルダ２と、部品保持用ホルダ２に固着されモータ部品に対する電気的接続を行うためのリードワイヤ４と、ハウジング３に嵌合されリードワイヤ４を貫挿して保持するグロメット１とを備え、リードワイヤ４の引張りに対して部品保持用ホルダ２の移動を規制するように部品保持用ホルダ２の外周面とハウジング３の内周面との間に介在するフランジ部１ａをグロメット１と一体に設けた。【選択図】図１
2006033980.tif 000002
【特許請求の範囲】
【請求項１】
ハウジング内に設けられモータ部品を保持するための部品保持部材と、前記部品保持部材に固着され前記モータ部品に対する電気的接続を行うための接続導線部材と、前記ハウジングに嵌合され前記接続導線部材を貫挿して保持する保護部材とを備え、前記接続導線部材の引張りに対して前記部品保持部材の移動を規制するように前記部品保持部材の外周面と前記ハウジングの内周面との間に介在するフランジ部を前記保護部材と一体に設けたことを特徴とするモータ。
【請求項２】
前記保護部材のフランジ部と前記ハウジングの内周面とを線接触で接合させることを特徴とする請求項１に記載のモータ。
【請求項３】
前記保護部材のフランジ部と前記ハウジングの内周面とを点接触で接合させることを特徴とする請求項１に記載のモータ。
【請求項４】
前記保護部材のフランジ部と前記部品保持部材の外周面とを線接触で接合させることを特徴とする請求項１から請求項３までのいずれかに記載のモータ。
【請求項５】
前記保護部材のフランジ部と前記部品保持部材の外周面とを点接触で接合させることを特徴とする請求項１から請求項３までのいずれかに記載のモータ。
【請求項６】
前記保護部材と前記接続導線部材とを所定の締め代により緊締したことを特徴とする請求項１から請求項５までのいずれかに記載のモータ。
【請求項７】
前記保護部材の前記接続導線部材との接合部分にリブを設けていることを請求項６に記載の特徴とするモータ。
【請求項８】
前記保護部材の前記接続導線部材との接合部分に設けられている前記リブは前記接続導線部材の引っ張り方向に対する動きを抑制する楔形状であることを特徴とする請求項７に記載のモータ。
【請求項９】
前記ハウジングと前記保護部材とを所定の締め代により緊締したことを特徴とする請求項１から請求項８までのいずれかに記載のモータ。
【請求項１０】
前記保護部材の前記ハウジングとの接合部分に前記接続導線部材の引っ張り方向に対する動きを抑制するテーパを設けていることを特徴とする請求項１から請求項９までのいずれかに記載のモータ。
【請求項１１】
前記保護部材の材料として、ダンパー効果のあるゴム材料を用いることを特徴とする請求項１から請求項１０までのいずれかに記載のモータ。
【発明の詳細な説明】
【技術分野】
【０００１】
この発明は、モータ、特に、ゴムブッシュを介してブラシを保持する整流子モータに関するものである。
【背景技術】
【０００２】
作動音の低減を目的にブラシを保持しているホルダをゴムブッシュを介しハウジングに固定しているモータの基本的な構造は既に広く知られている（例えば、特許文献１参照）。
【０００３】
【特許文献１】特開２００３−１２５５６０号公報
【０００４】
特許文献１に示される構成においては、作動音を低減させるためにブラシを保持しリードワイヤを固着する部品保持用ホルダをゴムブッシュを用いてハウジングから浮かせて固定する構造になっており、ブラシにて発生した振動のヨークやハウジングへの伝達をゴムブッシュのダンパー効果により抑制している。
【０００５】
この構造を採用しているモータにおいて、グロメット（ｇｒｏｍｍｅｔ）と称される保護部材で保持されるリードワイヤからなる接続導線部材が外力により引っ張られた場合、部品保持用ホルダからなる部品保持部材がゴムブッシュを介してハウジングにネジ止め固定されているため、リードワイヤの引っ張り方向に動くことがある。
部品保持用ホルダが動いた場合、ブラシの位置がモータ中心からずれるため、整流子とブラシのあたり方が変わりモータの性能や作動音が変化したり、ブラシホルダ内におけるブラシの摺動が悪くなり異音が発生することがある。
【発明の開示】
【発明が解決しようとする課題】
【０００６】
この発明は、接続導線部材の引っ張りに対して保護部材で部品保持部材の動きを的確に抑制し、モータ性能変化や異音発生を適切に防止できるモータを得ようとするものである。
【課題を解決するための手段】
【０００７】
この発明に係るモータでは、ハウジング内に設けられモータ部品を保持するための部品保持部材に固着され前記モータ部品に対する電気的接続を行うための接続導線部材と、前記ハウジングに嵌合され前記接続導線部材を貫挿して保持する保護部材とを備え、前記接続導線部材の引張りに対して前記部品保持部材の移動を規制するように前記部品保持部材の外周面と前記ハウジングの内周面との間に介在するフランジ部を前記保護部材と一体に設けたものである。
【発明の効果】
【０００８】
この発明によれば、接続導線部材の引っ張りに対して保護部材で部品保持部材の動きを的確に抑制し、モータ性能変化や異音発生を適切に防止できるモータを得ることができる。
【発明を実施するための最良の形態】
【０００９】
実施の形態１．
この発明による実施の形態１を図１から図４までについて説明する。図１は実施の形態１における構成を示す端面図である。図２は図１のII−II線における断面図である。図３および図４は実施の形態１におけるグロメットに設けたフランジ部の構成を示す斜視図である。
【００１０】
図１および図２に示される実施の形態１の構成において、保護部材としてのグロメット１は、部品保持用ホルダ２に固着されるリードワイヤ４を嵌挿している。リードワイヤ４の２本の素線４ａは、それぞれグロメット１に設けられた穴Ｈを貫通している。グロメット１はハウジング３に設けられ、ハウジング３には整流子９に接触するブラシ５等の部品が取り付けられた部品保持用ホルダ２を収納している。
グロメット１は部品保持用のホルダ２を収納したハウジング３に設けられた開口部３ａに嵌合されている。このグロメット１は、ダンパー効果があり、且つ、圧縮永久歪の小さい合成ゴム等のゴム材料で構成される。
グロメット１には、フランジ部１ａが一体に形成されている。グロメット１のフランジ部１ａは部品保持用ホルダ２の外周面とハウジング３の内周面との間に介在して配設される。ホルダ２の外周面とハウジング３の内周面の間に介在するグロメット１のフランジ部１ａにより、グロメット１の動きは確実に抑制されて、部品保持用ホルダ２の動きは効果的に抑制される。
【００１１】
グロメット１に形成されたフランジ部１ａのハウジング３内周面との対向面には、ゴム材料によるダンパー効果を有効に作用させるため、ハウジング３内周面との接触関係を適切に保つように、図３に示す通り、線接触を確保するリブ１０が設けられている。
図３（ａ）は、ハウジング３の軸方向に延在するリブ１０を設けた例を示すものであり、グロメット１のハウジング３の周方向への動きを有効に抑制することができる。
図３（ｂ）は、ハウジング３の周方向に延在するリブ１０を設けた例を示すものであり、グロメット１のハウジング３の軸方向への動きを有効に抑制することができる。
【００１２】
そして、グロメット１に形成されたフランジ部１ａのハウジング３内周面との接触関係は、点接触でもよく、図４に示す通り、グロメット１のフランジ部１ａには、複数の半球状の突起１１を設けてもよい。
【００１３】
さらに、グロメット１に形成されたフランジ部１ａには、部品保持用ホルダ２外周面との接触関係を適切に保つように、リブ１０または突起１１を設けてもよく、また、グロメット１に形成されたフランジ部１ａには、その両面に、部品保持用ホルダ２外周面およびハウジング３内周面との接触関係を適切に保つように、それぞれリブ１０または突起１１を設けてもよい。
【００１４】
このように、グロメット１に一体に形成されたフランジ部１ａを部品保持用ホルダ２の外周面とハウジング３の内周面との間に介在させ、且つ、両面もしくはどちらかの面に線接触もしくは点接触にて接することで、グロメット１を構成するゴム材料のダンパー効果を有した状態でリードワイヤ４の引っ張りに対する部品保持用ホルダ２の動きを抑制することができる。
【００１５】
この発明による実施の形態１によれば、ハウジング３内に設けられモータ部品を保持するための部品保持用ホルダ２からなる部品保持部材と、前記部品保持用ホルダ２からなる部品保持部材に固着され前記モータ部品に対する電気的接続を行うためのリードワイヤ４からなる接続導線部材と、前記ハウジング３に設けられた開口部３ａに嵌合され前記リードワイヤ４からなる接続導線部材を貫挿して保持する合成ゴム等のゴム材料で構成されたグロメット１からなる保護部材とを備え、前記リードワイヤ４からなる接続導線部材の引張りに対して前記部品保持用ホルダ２からなる部品保持部材の移動を規制するように前記部品保持用ホルダ２からなる部品保持部材の外周面と前記ハウジング３の内周面との間に介在するフランジ部１ａを前記グロメット１からなる保護部材と一体に設けたので、保護部材と一体に設けられ部品保持部材とハウジングとの間に介在するフランジ部により、接続導線部材の引っ張りに対して保護部材で部品保持部材の動きを的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００１６】
また、この発明による実施の形態１によれば、前項の構成において、前記グロメット１からなる保護部材のフランジ部１ａの外周面にリブ１０または半球状突起１１を設け前記グロメット１からなる保護部材のフランジ部１ａと前記ハウジング３の内周面とを線接触または点接触で接合させるようにしたので、保護部材のフランジ部と前記ハウジングの内周面とを確実に接合させることにより、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００１７】
さらに、この発明による実施の形態１によれば、前２項のいずれかの構成において、前記グロメット１からなる保護部材のフランジ部１ａの内周面にリブ１０または半球状突起１１を設け前記保護部材のフランジ部と前記部品保持部材の外周面とを線接触または点接触で接合させるようにしたので、保護部材のフランジ部と前記部品保持部材の外周面とを確実に接合させることにより、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００１８】
そして、この発明による実施の形態１によれば、前３項のいずれかの構成において、前記グロメット１からなる保護部材の材料として、ダンパー効果のあるゴム材料を用いることを特徴とするので、保護部材とハウジングおよび接続導線部材や部品保持部材との接合を確実に保持し経年変化を防止して、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００１９】
実施の形態２．
この発明による実施の形態２を図５について説明する。図５は実施の形態２における構成を示す拡大端面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００２０】
図５に示される実施の形態２の構成において、保護部材としてのグロメット１は、部品保持用ホルダ２に固着されるリードワイヤ４を嵌挿している。リードワイヤ４の２本の素線４ａは、それぞれグロメット１に設けられた穴Ｈを貫通している。グロメット１はハウジング３に設けられ、ハウジング３には整流子９に接触するブラシ５等の部品が取り付けられている。
グロメット１は部品保持用のホルダ２を収納したハウジング３に設けられた開口部３ａに嵌合されている。このグロメット１は、ダンパー効果があり、且つ、圧縮永久歪の小さい合成ゴム等のゴム材料で構成される。
【００２１】
この実施の形態２では、図５に示す通り、グロメット１のリードワイヤ４を通すための穴Ｈにはリードワイヤ４のそれぞれの素線４ａに対し締め代を設けており、且つ、穴Ｈを形成したグロメット１の内面部分にリードワイヤ４の素線４ａ外周に接合しリードワイヤ４の引っ張りに対する抵抗力を付与する楔形状を持つリブ１２を設け、リードワイヤ４のグロメット１への固定力を上げることで、リードワイヤ４の引っ張りに対するホルダ２の動きを抑制するようにしている。
グロメット１の材料はダンパー効果のあるゴム材料であり、且つ、設定した締め代を保つために圧縮永久歪の小さいゴム材料であることを特徴とする。
リードワイヤ４は、グロメット１に対し設定された所定の締め代により緊締状態で確実に保持され、リードワイヤ４の引っ張りによる動きをグロメット１に的確に伝えてホルダ部品保持用２の動きを抑制する。
【００２２】
この発明による実施の形態２によれば、実施の形態１における構成において、前記グロメット１からなる保護部材と前記リードワイヤ４からなる接続導線部材とを所定の締め代により緊締したので、保護部材と接続導線部材との緊締により、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００２３】
また、この発明による実施の形態２によれば、前項の構成において、前記グロメット１からなる保護部材の前記リードワイヤ４からなる接続導線部材との接合部分にリブ１２を設けるとともに、前記リブ１２は前記接続導線部材の引っ張り方向に対する動きを抑制する楔形状としたので、保護部材の接続導線部材との接合部分に設けられた楔形状のリブにより、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００２４】
さらに、この発明による実施の形態２によれば、前２項のいずれかの構成において、前記グロメット１からなる保護部材の材料として、ダンパー効果があり、且つ、設定した締め代を保つために圧縮永久歪みの小さいゴム材料を用いることを特徴とするので、保護部材とハウジングおよび接続導線部材や部品保持部材との接合を確実に保持し経年変化を防止して、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００２５】
実施の形態３．
この発明による実施の形態３を図６について説明する。図６は実施の形態３における構成を示す拡大端面図である。
この実施の形態３において、ここで説明する特有の構成以外の構成については、先に説明した実施の形態１における構成と同一の構成内容を具備し、同様の作用を奏するものである。図中、同一符号は同一または相当部分を示す。
【００２６】
図５に示される実施の形態２の構成において、保護部材としてのグロメット１は、部品保持のためのホルダ２に固着されるリードワイヤ４を嵌挿している。リードワイヤ４の２本の素線４ａは、それぞれグロメット１に設けられた穴Ｈを貫通している。グロメット１はハウジング３に設けられ、ハウジング３には整流子９に接触するブラシ５等の部品が取り付けられている。
グロメット１は部品保持用のホルダ２を収納したハウジング３に設けられた開口部３ａに嵌合されている。このグロメット１は、ダンパー効果があり、且つ、圧縮永久歪の小さい合成ゴム等のゴム材料で構成される。
【００２７】
この実施の形態３では、図６に示す通り、グロメット１はハウジング３に対し締め代を設けており、且つリードワイヤ４の引っ張り方向に対し動きにくいようにテーパＴ１を設け、グロメット１そのもののハウジング３への固定力を上げることでリードワイヤ４の引っ張りに対するホルダ２の動きを抑制するようにしている。
グロメット１の材料はダンパー効果のあるゴム材料であり、且つ設定した締め代を保つために圧縮永久歪の小さいゴム材料であることを特徴とする。
グロメット１は、ハウジング３に対し設定された所定の締め代により緊締状態で確実に保持され、リードワイヤ４の引っ張りによるグロメット１の動きは有効に抑制される。
グロメット１がハウジング３へ取り付けられる前の自由状態では、グロメット１は仮想テーパ線ＦＳに相当する自由形状寸法を有しているものであり、ハウジング３に設けられたグロメット１を嵌合するための開口部３ａに形成されたテーパＴ３にグロメット１のテーパＴ１が圧接されて嵌合し、グロメット１は所定の締め代によりハウジング３に緊締される。テーパＴ３はハウジング３に設けられた開口部３ａの開口面積が外方に向かうに従って縮小するように形成されるものであり、リードワイヤ４の引っ張りによるグロメット１の動きはテーパＴ１とテーパＴ３との接合により確実にハウジング３に保持される。
【００２８】
この発明による実施の形態３によれば、実施の形態１または実施の形態２における構成において、前記ハウジング３と前記グロメット１からなる保護部材とを所定の締め代により緊締したので、保護部材とハウジングとを確実に固着することにより、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００２９】
また、この発明による実施の形態３によれば、前項の構成において、前記グロメット１からなる保護部材の前記ハウジング３との接合部分に前記リードワイヤ４からなる接続導線部材の引っ張り方向に対する動きを抑制するテーパＴ１を設けたので、保護部材とハウジングとを確実に固着し、かつ、接続導線部材の引っ張り方向に対する動きを有効に抑制することにより、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【００３０】
さらに、この発明による実施の形態３によれば、前２項のいずれかの構成において、前記グロメット１からなる保護部材の材料として、ダンパー効果があり、且つ、設定した締め代を保つために圧縮永久歪みの小さいゴム材料を用いることを特徴とするので、保護部材とハウジングおよび接続導線部材や部品保持部材との接合を確実に保持し経年変化を防止して、接続導線部材の引っ張りに対して保護部材で部品保持部材の動きを一層的確に抑制し、ブラシと整流子のあたり方が変わることによるモータ性能や作動音変化の防止するとともに、接続導線部材の引っ張りにより部品保持部材の動きを抑制し、ブラシの摺動性が悪化による異音発生を適切に防止することができるモータを得ることができる。
【図面の簡単な説明】
【００３１】
【図１】この発明による実施の形態１における構成を示す端面図である。
【図２】図１のII−II線における断面図である。
【図３】この発明による実施の形態１におけるグロメットに設けたフランジ部構成の一例を示す斜視図である。
【図４】この発明による実施の形態１におけるグロメットに設けたフランジ部構成の他の例を示す斜視図である。
【図５】この発明による実施の形態２における構成を示す拡大端面図である。
【図６】この発明による実施の形態３における構成を示す拡大端面図である。
【符号の説明】
【００３２】
１  グロメット、１ａ  フランジ、２  部品保持用ホルダ、３  ハウジング、４  リードワイヤ、５  ブラシ、６  ブラシホルダ、７  ゴムブッシュ、８  ヨーク、９  整流子。
【図１】
2006033980.tif 000003
【図２】
2006033980.tif 000004
【図３】
2006033980.tif 000005
【図４】
2006033980.tif 000006
【図５】
2006033980.tif 000007
【図６】
2006033980.tif 000008